(57)【要約】      （修正有）【課題】TFT液晶駆動方法に関し、横電界及びクロストークの悪影響を回避する。【解決手段】  液晶表示部の画素数に対応した入力画像の２水平期間に、相互に離間したｎ（ｎは２以上の整数）本のラインの走査線を選択して順次ゲートパルスを供給し、次の２水平期間には選択するｎ本のラインを夫々１ラインずつシフトさせる走査ドライブ手段１０４と、連続した２フレームの前記入力画像のうち前のフレームの後半の画像と後のフレームの前半の画像とによって１フレームの画像を構成し、構成した画像を前記走査ドライブ手段の走査に応じた信号配列で配列して書込み画像を得る画像再配列手段６１と、前記画像再配列手段からの書込み画像の画像信号が入力され、前記入力画像の水平周期毎に極性反転させて前記複数のソース線に夫々供給するデータドライブ手段２０１とを具備する。【選択図】      図１
2005227473.tif 000002
【特許請求の範囲】
【請求項１】
格子状に配設された複数のソース線及び複数の走査線の各交差に対応して画素が構成さ
れ、前記走査線に供給される走査信号によって前記画素に設けられたスイッチング素子が
オンされることによって前記ソース線に供給された画像信号が前記スイッチング素子を介
して前記各画素の画素電極に与えられて液晶が駆動される液晶表示部に対して、前記液晶
表示部の画素数に対応した入力画像の２水平期間に、相互に離間したｎ（ｎは２以上の整
数）本のラインの走査線を選択して順次ゲートパルスを供給し、次の２水平期間には選択
するｎ本のラインを夫々１ラインずつシフトさせる走査ドライブ手段と、
連続した２フレームの前記入力画像のうち前のフレームの後半の画像と後のフレームの
前半の画像とによって１フレームの画像を構成し、構成した画像を前記走査ドライブ手段
の走査に応じた信号配列で配列して書込み画像を得る画像再配列手段と、
前記画像再配列手段からの書込み画像の画像信号が入力され、前記入力画像の水平周期
毎に極性反転させて前記複数のソース線に夫々供給するデータドライブ手段とを具備した
ことを特徴とする液晶装置。
【請求項２】
前記画像再配列手段は、前記液晶表示部における正極性画像信号に基づく画像領域と負
極性画像信号に基づく画像領域とに応じて、前記１フレームの画像を構成する前記前のフ
レームの画像の後半の位置と後のフレームの画像の前半の位置とを決定することを特徴と
する請求項１に記載の液晶装置。
【請求項３】
前記画像再配列手段は、ｎ個のフレームメモリを有し、各フレームメモリに対する前記
入力画像の書込み及び読出しを制御することで、書込み画像を構成することを特徴とする
請求項１に記載の液晶装置。
【請求項４】
格子状に配設された複数のソース線及び複数の走査線の各交差に対応して画素が構成さ
れ、前記走査線に供給される走査信号によって前記画素に設けられたスイッチング素子が
オンされることによって前記ソース線に供給された画像信号が前記スイッチング素子を介
して各画素の画素電極に与えられて液晶が駆動される液晶表示部に対して、前記液晶表示
部の画素数に対応した入力画像の２水平期間に、相互に離間したｎ（ｎは２以上の整数）
本のラインの走査線を選択して順次ゲートパルスを供給し、次の２水平期間には選択する
ｎ本のラインを夫々１ラインずつシフトさせる走査ドライブ処理と、
連続した２フレームの前記入力画像のうち前のフレームの後半の画像と後のフレームの
前半の画像とによって１フレームの画像を構成し、構成した画像を前記走査ドライブ処理
における走査に応じた信号配列で配列して書込み画像を得る画像再配列処理と、
前記画像再配列処理によって得られる書込み画像の画像信号が入力され、前記入力画像
の水平期間毎に極性反転させて前記複数のソース線に夫々供給するデータドライブ処理と
を具備したことを特徴とする液晶装置の駆動方法。
【請求項５】
格子状に配設された複数のソース線及び複数の走査線の各交差に対応して画素が構成さ
れ、前記走査線に供給される走査信号によって前記画素に設けられたスイッチング素子が
オンされることによって前記ソース線に供給された画像信号が前記スイッチング素子を介
して前記各画素の画素電極に与えられて液晶が駆動される液晶表示部に対して、前記液晶
表示部の画素数に対応した入力画像の２水平期間に、相互に離間したｎ（ｎは２以上の整
数）本のラインの走査線を選択して順次ゲートパルスを供給し、次の２水平期間には選択
するｎ本のラインを夫々１ラインずつシフトさせる走査ドライブ手段と、
連続した２フレームの前記入力画像のうち前のフレームの後半の画像と後のフレームの
前半の画像とによって１フレームの画像を構成し、構成した画像を前記走査ドライブ手段
の走査に応じた信号配列で配列して書込み画像を得る画像再配列手段と、
前記画像再配列手段からの書込み画像の画像信号が入力され、前記入力画像の水平周期
毎に極性反転させて前記複数のソース線に夫々供給するデータドライブ手段とを具備した
ことを特徴とする液晶装置の駆動回路。
【請求項６】
請求項１乃至３のいずれか１つに記載の液晶装置を具備したことを特徴とする電子機器。
【発明の詳細な説明】
【技術分野】
【０００１】
本発明は、クロストークを軽減するようにした液晶装置、液晶装置の駆動回路及びその
駆動方法並びに電子機器に関する。
【背景技術】
【０００２】
電気光学装置、例えば、電気光学物質として液晶を用いた液晶表示装置は、陰極線管（
ＣＲＴ）に代わるディスプレイデバイスとして、各種情報処理機器の表示部や液晶テレビ
等に広く用いられている。
【０００３】
このような液晶表示装置は、例えば、マトリクス状に配列した画素電極と、この画素電
極に接続されたＴＦＴ（Thin Filｍ Transistor : 薄膜トランジスタ）のようなスイッチ
ング素子等が設けられた素子基板と、画素電極に対向する対向電極が形成された対向基板
と、これら両基板との間に充填された電気光学物質たる液晶とによって構成される。
【０００４】
ＴＦＴは走査線（ゲート線）を介して供給される走査信号（ゲート信号）によって導通
する。走査信号を印加してスイッチング素子を導通状態にした状態で、データ線（ソース
線）を介して画素電極に、階調に応じた電圧の画像信号を印加する。そうすると、画素電
極と対向電極に、画像信号の電圧に応じた電荷が蓄積される。電荷蓄積後、走査信号を取
り去りＴＦＴを非導通状態にしても、各電極における電荷の蓄積状態は、液晶層の容量性
や蓄積容量等によって維持される。
【０００５】
このように、各スイッチング素子を駆動させ、蓄積させる電荷量を階調に応じて制御す
ると、画素毎に液晶の配向状態が変化して光の透過率が変わり、画素毎に明るさを変化さ
せることができる。こうして、階調表示することが可能となる。
【０００６】
ところで、液晶装置では、印加信号の直流成分の印加などによって、例えば、液晶成分
の分解、液晶セル中の不純物による汚染が発生し、表示画像の焼き付き等の現象が現れる
。そこで、一般的には、各画素電極の駆動電圧の極性を、例えば画像信号におけるフレー
ム毎に反転させる反転駆動が行われる。フレーム反転駆動等の面反転駆動は、画像表示領
域を構成する全画素電極の駆動電圧の極性を全て同じにして、一定周期で駆動電圧を反転
させる方式である。
【０００７】
液晶層及び蓄積容量の容量性を考慮すると、各画素の液晶層に電荷を印加するのは一部
の期間のみでよい。従って、マトリクス状に配設された複数の画素を駆動する場合には、
同一走査ラインに接続された画素に各走査線によって同時に走査信号を印加し、画像信号
をデータ線を介して各画素に供給し、また画像信号を供給する走査線を順次切換えればよ
い。即ち、液晶表示装置では、走査線及びデータ線を複数の画素について共通化した時分
割マルチプレックス駆動が可能となる。
【０００８】
このように、液晶装置では、容量性を考慮して、画素には一部の期間にのみ駆動電圧が
印加される。しかしながら、結合容量の影響及び電荷のリークによって、画素電極はＴＦ
Ｔがオフの期間においてもソース線電位の影響を受ける。画素の印加電圧のこのような電
位変動によって、画面内の表示が不均一となり、特に、中間調領域では画質の劣化が目立
ってしまう。
【０００９】
そこで、このような問題点を回避するために、液晶装置においては、１フレーム毎の反
転駆動処理と共に、例えばライン毎に駆動電位の極性を異ならせるライン反転駆動等とを
組み合わせた反転駆動が採用される。ソース線を介して転送される画像信号の極性を比較
的短時間に切換えることで、結合容量の影響及び電荷のリークの影響を低減するのである
。
【００１０】
しかしながら、ライン反転駆動方式の場合には、極性が相異なる電圧が印加される列方
向又は行方向において、同一基板上の相隣接する画素電極間で電界（以下、横電界という
）が生じてしまう。また、ドット反転駆動方式の場合には、極性が相異なる電圧が印加さ
せる行方向及び列方向に相隣接する画素電極間で横電界が生じる。
【００１１】
隣接する画素間にこのような横電界が生じると、画素電極の一縁辺部は、この横電界の
影響を受け、液晶分子の傾斜方向が他の液晶分子と異なる部分が生じやすい。このような
液晶分子の配列の乱れ（ディスクリネーション）によって、配向不良の部分に沿ったスジ
状の模様（スジむら）が現れる。即ち、ディスクリネーション領域においては光抜けが生
じ、また、このディスクリネーション領域を非開口領域とした場合には開口率が低下して
しまう。
【００１２】
そこで、特許文献１においては、横電界によるディスクリネーションの発生を抑制する
と共に、画面の均一性を確保する手段として、１水平期間内を第１期間と第２期間とに分
割し、第１期間において走査線に駆動パルスを供給すると共にデータ線に画像信号を供給
することによって各画素電極に画像信号を印加する一方、第２期間においては走査線に駆
動パルスを供給せずにデータ線に前とは逆極性の画像信号を供給する技術が提案されてい
る。
【特許文献１】特開平５−３１３６０８号公報
【発明の開示】
【発明が解決しようとする課題】
【００１３】
しかしながら、上記の特許文献１に記載された技術では、画素の書き込みに用いること
のできる時間が通常の半分になり、書き込みが不充分になる等の問題が生じる。
【００１４】
本発明はかかる問題点に鑑みてなされたものであって、画面内の表示品位の均一性を確
保しながら、ディスクリネーションの発生を抑制すると共に、さらに書き込み不足等の問
題が生じることを防止することができる液晶装置、液晶装置の駆動回路及びその駆動方法
並びに電子機器を提供することを目的とする。
【課題を解決するための手段】
【００１５】
本発明に係る液晶装置は、格子状に配設された複数のソース線及び複数の走査線の各交
差に対応して画素が構成され、前記走査線に供給される走査信号によって前記画素に設け
られたスイッチング素子がオンされることによって前記ソース線に供給された画像信号が
前記スイッチング素子を介して前記各画素の画素電極に与えられて液晶が駆動される液晶
表示部に対して、前記液晶表示部の画素数に対応した入力画像の２水平期間に、相互に離
間したｎ（ｎは２以上の整数）本のラインの走査線を選択して順次ゲートパルスを供給し
、次の２水平期間には選択するｎ本のラインを夫々１ラインずつシフトさせる走査ドライ
ブ手段と、連続した２フレームの前記入力画像のうち前のフレームの後半の画像と後のフ
レームの前半の画像とによって１フレームの画像を構成し、構成した画像を前記走査ドラ
イブ手段の走査に応じた信号配列で配列して書込み画像を得る画像再配列手段と、前記画
像再配列手段からの書込み画像の画像信号が入力され、前記入力画像の水平周期毎に極性
反転させて前記複数のソース線に夫々供給するデータドライブ手段とを具備したことを特
徴とする。
【００１６】
このような構成によれば、液晶表示部は、格子状に配設された複数のソース線及び複数
の走査線の各交差に対応して画素が構成され、走査ドライブ手段から走査線に供給される
走査信号によって画素に設けられたスイッチング素子がオンされ、これにより、ソース線
に供給された画像信号がスイッチング素子を介して各画素の画素電極に与えられて液晶が
駆動される。画像再配列手段は、連続した２フレームの入力画像のうち前のフレームの後
半の画像と後のフレームの前半の画像とによって１フレームの画像を構成し、構成した画
像を走査ドライブ手段の走査に応じた信号配列で配列して書込み画像を得る。ソース線に
供給される画像信号は、データドライブ手段によって、入力画像の水平期間毎に極性反転
されている。走査ドライブ手段は、入力画像の２水平期間に、相互に離間したｎ（ｎは２
以上の整数）本のラインの走査線を選択して順次ゲートパルスを供給し、次の２水平期間
には選択するｎ本のラインを夫々１ラインずつシフトさせる。これにより、大部分の隣接
するライン間では同一極性の画像信号で駆動されることになり、面反転駆動により横電界
の発生を防止することができる。こうして、画面内の表示品位の均一性を確保しながら、
ディスクリネーションの発生を抑制することができる。なお、表示される書込み画像のう
ちの前のフレームの後半の画像部分は画面下側に表示され、後のフレームの前半の画像部
分は画面上側に表示される。これらの画像部分は、夫々後のフレーム又は後々のフレーム
の画像によって、順次置き換えられる。即ち、各画像部分は１水平周期で境界がシフトし
ながら次の画像に変化することになり、不連続部分が目立つことを防止することができる
。
【００１７】
また、前記画像再配列手段は、前記液晶表示部における正極性画像信号に基づく画像領
域と負極性画像信号に基づく画像領域とに応じて、前記１フレームの画像を構成する前記
前のフレームの画像の後半の位置と後のフレームの画像の前半の位置とを決定することを
特徴とする請求項１に記載の液晶装置。
【００１８】
このような構成によれば、書込み画像の構成が容易である。
【００１９】
また、前記画像再配列手段は、ｎ個のフレームメモリを有し、各フレームメモリに対す
る前記入力画像の書込み及び読出しを制御することで、書込み画像を構成することを特徴
とする。
【００２０】
このような構成によれば、例えば一方のフレームメモリに、後のフレームの前半の画像
を書込みながら、他方のフレームメモリに記憶されている前のフレームの後半の画像を読
出す。このような書込み及び読出しによって、前のフレームの後半の画像と後のフレーム
の前半の画像とによって書込み画像を構成することができる。
【００２１】
本発明に係る液晶装置の駆動方法は、格子状に配設された複数のソース線及び複数の走
査線の各交差に対応して画素が構成され、前記走査線に供給される走査信号によって前記
画素に設けられたスイッチング素子がオンされることによって前記ソース線に供給された
画像信号が前記スイッチング素子を介して各画素の画素電極に与えられて液晶が駆動され
る液晶表示部に対して、前記液晶表示部の画素数に対応した入力画像の２水平期間に、相
互に離間したｎ（ｎは２以上の整数）本のラインの走査線を選択して順次ゲートパルスを
供給し、次の２水平期間には選択するｎ本のラインを夫々１ラインずつシフトさせる走査
ドライブ処理と、連続した２フレームの前記入力画像のうち前のフレームの後半の画像と
後のフレームの前半の画像とによって１フレームの画像を構成し、構成した画像を前記走
査ドライブ処理における走査に応じた信号配列で配列して書込み画像を得る画像再配列処
理と、前記画像再配列処理によって得られる書込み画像の画像信号が入力され、前記入力
画像の水平期間毎に極性反転させて前記複数のソース線に夫々供給するデータドライブ処
理とを具備したことを特徴とする。
【００２２】
このような構成によれば、画像再配列処理によって、連続した２フレームの入力画像の
うち前のフレームの後半の画像と後のフレームの前半の画像とによって１フレームの書込
み画像が構成される。書込み画像の画像信号は、データドライブ処理において、水平期間
毎に極性反転される。走査ドライブ処理では、複数ラインの走査線が選択され、２水平期
間内に順次ゲートパルスが供給される。更に、走査ドライブ処理による次の２走査期間に
は、選択される走査線がいずれも１ラインずつシフトされる。これにより、隣接するライ
ンの画素には同一極性の書込み画像信号を書込むことができる。また、相互に異なる極性
の画像信号によって書込みが行われる画像の不連続部分は、１水平周期で逐次シフトする
ので、画面上目立つことはない。
【００２３】
本発明に係る液晶装置の駆動回路は、格子状に配設された複数のソース線及び複数の走
査線の各交差に対応して画素が構成され、前記走査線に供給される走査信号によって前記
画素に設けられたスイッチング素子がオンされることによって前記ソース線に供給された
画像信号が前記スイッチング素子を介して前記各画素の画素電極に与えられて液晶が駆動
される液晶表示部に対して、前記液晶表示部の画素数に対応した入力画像の２水平期間に
、相互に離間したｎ（ｎは２以上の整数）本のラインの走査線を選択して順次ゲートパル
スを供給し、次の２水平期間には選択するｎ本のラインを夫々１ラインずつシフトさせる
走査ドライブ手段と、連続した２フレームの前記入力画像のうち前のフレームの後半の画
像と後のフレームの前半の画像とによって１フレームの画像を構成し、構成した画像を前
記走査ドライブ手段の走査に応じた信号配列で配列して書込み画像を得る画像再配列手段
と、前記画像再配列手段からの書込み画像の画像信号が入力され、前記入力画像の水平周
期毎に極性反転させて前記複数のソース線に夫々供給するデータドライブ手段とを具備し
たことを特徴とする。
【００２４】
このような構成によれば、画像再配列手段は、連続した２フレームの入力画像のうち前
のフレームの後半の画像と後のフレームの前半の画像とによって１フレームの書込み画像
を構成する。データドライブ手段は、書込み画像の画像信号を、水平期間毎に極性反転さ
せる。走査ドライブ手段は、複数ラインの走査線を選択して、２水平期間内に順次ゲート
パルスを供給する。更に、次の２走査期間には、走査ドライブ手段によって選択される走
査線がいずれも１ラインずつシフトされる。これにより、隣接するラインの画素には同一
極性の書込み画像信号を書込むことができる。また、相互に異なる極性の画像信号によっ
て書込みが行われる画像の不連続部分は、１水平周期で逐次シフトするので、画面上目立
つことはない。
【００２５】
また、本発明に係る電子機器は、上記液晶装置を具備したことを特徴とする。
【００２６】
このような構成によれば、横電界及びクロストークの悪影響を回避した高画質の画像が
得られる。
【発明を実施するための最良の形態】
【００２７】
以下、図面を参照して本発明の実施の形態について詳細に説明する。図１乃至図１５は
本発明の一実施の形態に係り、図１は本実施の形態に係る液晶装置を示すブロック図、図
２は本実施の形態の液晶装置において採用される液晶パネルの概略構成図、図３は図２の
Ｈ−Ｈ’線に沿う断面図、図４は液晶パネルの画素領域においてマトリクス状に形成され
た複数の画素の等価回路図、図５は図１中の走査ドライバ１０４の具体的な構成を示す回
路図、図６は図５中の要部の詳細回路図、図７は液晶装置の動作を説明するためのタイミ
ングチャート、図８は図７中の要部を取りだして示すタイミングチャート、図９は画面の
イメージを示す説明図、図１０は画面上の書込み（駆動）の様子を示す説明図である。ま
た、図１１は書込み画像の構成と、画像の書込みとの関係を説明するための説明図である
。図１２は書込み画像の構成を説明するための説明図である。また、図１３は書込み画像
を構成するための動作を説明するためのタイミングチャートである。図１４及び図１５は
画像として動く縦棒を表示する場合の表示例を説明するための説明図である。なお、各図
においては、各層や各部材を図面上で認識可能な程度の大きさとするため、各層や各部材
毎に縮尺を異ならしめてある。
【００２８】
本実施の形態は、例えば投射型表示装置の光変調装置として用いる液晶ライトバルブに
適用した例を示している。
【００２９】
本実施の形態に係る液晶装置は、電気光学材料である液晶を用いた表示領域１０１ａと
、この表示領域１０１ａの各画素を駆動する走査ドライバ１０４及びデータドライバ２０
１と、これらの走査ドライバ１０４及びデータドライバ２０１に各種信号を供給するため
のコントローラ６１、ＤＡコンバータ（ＤＡＣ）６４及び第１，第２フレームメモリ６２
，６３とによって構成されている。
【００３０】
図２は図１中の表示領域１０１ａ、走査ドライバ１０４及びデータドライバ２０１によ
って構成される液晶パネル１の概略構成を示し、図３はその断面を示している。
【００３１】
液晶パネル１の中央に表示領域１０１ａが形成される。表示領域１０１ａは、素子基板
としてガラス基板等の透明基板が用いられ、素子基板上に、画素を駆動するＴＦＴと共に
、周辺駆動回路等も形成されている。素子基坂上の表示領域１０１ａには、複数本のゲー
ト線（走査線）Ｇ1 ，Ｇ2 ，…が、図１のＸ（行）方向に延在して形成され、また、複数
本のソース線（データ線）Ｓ1 ，Ｓ2 ，…が、Ｙ（列）方向に沿って延在して形成されて
いる。画素１１０は、各走査線と各ソース線との各交差に対応して設けられて、マトリク
ス状に配列されている。
【００３２】
液晶パネルは、図２及び図３に示すように、例えば、石英基板、ガラス基板、シリコン
基板を用いたＴＦＴ基板１０と、これに対向配置される、例えばガラス基板や石英基板を
用いた対向基板２０との間に液晶５０を封入して構成される。対向配置されたＴＦＴ基板
１０と対向基板２０とは、シール材５２によって貼り合わされている。
【００３３】
ＴＦＴ基板１０上には画素１１０を構成する画素電極（ＩＴＯ）９等がマトリクス状に
配置される。また、対向基板２０上には全面に対向電極（ＩＴＯ）２１が設けられる。Ｔ
ＦＴ基板１０の画素電極９上には、ラビング処理が施された配向膜（図示省略）が設けら
れている。一方、対向基板２０上の全面に渡って形成された対向電極２１上にも、ラビン
グ処理が施された配向膜（図示省略）が設けられている。なお、各配向膜は、例えば、ポ
リイミド膜等の透明な有機膜からなる。
【００３４】
図４は画素を構成するＴＦＴ基板１０上の素子の等価回路を示している。図４に示すよ
うに、表示領域１０１ａにおいては、複数本の走査線Ｇ1 ，Ｇ2 ，…と複数本のソース線
Ｓ1 ，Ｓ2 ，…とが交差するように配線され、走査線Ｇ1 ，Ｇ2 ，…とソース線Ｓ1 ，Ｓ
2 ，…とで区画された領域に画素電極９がマトリクス状に配置される。そして、走査線Ｇ
1 ，Ｇ2 ，…とソース線Ｓ1 ，Ｓ2 ，…の各交差部分に対応してスイッチング手段として
のＴＦＴ３０が設けられ、このＴＦＴ３０に画素電極９が接続される。
【００３５】
各画素１１０を構成するＴＦＴ３０は、ゲートが走査線Ｇ1 ，Ｇ2 ，…に、ソースがソ
ース線Ｓ1 ，Ｓ2 ，…に、ドレインが画素電極９に、それぞれ接続される。画素電極９と
対向電極２１との間には電気光学材料たる液晶５０が挟持されて液晶層が形成されている
。
【００３６】
各走査線Ｇ1 ，Ｇ2 ，…には後述する走査ドライバ１０４から夫々走査信号Ｇ１，Ｇ２
，…Ｇｍが供給される。また、対向電極２１には対向電極電圧が印加される。各走査信号
によって、各ライン毎にそのラインの画素を構成する全てのＴＦＴ３０が同時にオンとな
り、これにより、後述するデータドライバ２０１から各ソース線Ｓ1 ，Ｓ2 ，…に供給さ
れた画像信号（書き込み画像の画像信号）が画素電極９に書込まれる。画像信号が書き込
まれた画素電極９と対向電極２１との電位差に応じて液晶５０の分子集合の配向状態が変
化して、光の変調が行われ、階調表示が可能となる。
【００３７】
また、画素電極９と並列に蓄積容量７０が設けられており、蓄積容量７０によって、画
素電極９の電圧はソース電圧が印加された時間よりも例えば３桁も長い時間の保持が可能
となる。蓄積容量７０によって、電圧保持特性が改善され、コントラスト比の高い画像表
示が可能となる。
【００３８】
また、図２及び図３に示すように、対向基板２０には表示領域を区画する額縁としての
遮光膜５３が設けられている。遮光膜５３の外側の領域には液晶を封入するシール材５２
が、ＴＦＴ基板１０と対向基板２０間に形成されている。シール材５２は対向基板２０の
輪郭形状に略一致するように配置され、ＴＦＴ基板１０と対向基板２０を相互に固着する
。シール材５２は、ＴＦＴ基板１０の１辺の一部において欠落しており、液晶５０を注入
するための液晶注入口５２ａが形成される。貼り合わされた素子基板１０及び対向基板２
０相互の間隙には、液晶注入口５２ａより液晶が注入される。液晶注入後に、液晶注入口
５２ａを封止材２５で封止するようになっている。
【００３９】
シール材５２の外側の領域には、ソース線Ｓ1 ，Ｓ2 ，…に画像信号を所定のタイミン
グで供給することにより該ソース線Ｓ1 ，Ｓ2 ，…を駆動するデータドライバ２０１及び
外部回路との接続のための外部接続端子２０２がＴＦＴ基板１０の一辺に沿って設けられ
ている。この一辺に隣接する二辺に沿って、走査線Ｇ1 ，Ｇ2 ，…を介してＴＦＴ３０の
図示しないゲート電極に走査信号を所定のタイミングで供給することによりゲート電極を
駆動する走査ドライバ１０４が設けられている。走査ドライバ１０４は、シール材５２の
外側のＴＦＴ基板１０の２辺に沿って形成される。また、ＴＦＴ基板１０上には、データ
ドライバ２０１、走査ドライバ１０４、外部接続端子２０２及び上下導通端子１０７を接
続する配線１０５が、ＴＦＴ基板１０の縁辺に沿って設けられている。
【００４０】
上下導通端子１０７は、シール材５２のコーナー部の４箇所のＴＦＴ基板１０上に形成
される。そして、ＴＦＴ基板１０と対向基板２０相互間には、下端が上下導通端子１０７
に接触し、上端が対向電極２１に接触する上下導通材１０６が設けられており、上下導通
材１０６によって、ＴＦＴ基板１０と対向基板２０との間で電気的な導通がとられている
。
【００４１】
本実施の形態における液晶装置の駆動回路部６０は、液晶パネル１に含まれるデータド
ライバ２０１、走査ドライバ１０４の外、図１に示すように、画像再配列手段としてのコ
ントローラ６１、第１フレームメモリ６２、第２フレームメモリ６３の２画面分のフレー
ムメモリ、ＤＡコンバータ６４等から構成されている。第１フレームメモリ６２、第２フ
レームメモリ６３のうちの一方は外部から入力された１フレーム分の映像を一時的に蓄え
るためのもの、また他方は表示用に用いられ、１フレーム毎に役割が切換るものである。
【００４２】
コントローラ６１は、表示装置コントロール部６１ａ及びメモリコントロール部６１ｂ
を内蔵している。表示装置コントロール部６１ａには、垂直同期信号Ｖsync、水平同期信
号Ｈsync及びドットクロック信号dotclkが入力され、メモリコントロール部６１ｂには、
入力画像の画像信号DATAが入力される。メモリコントロール部６１ｂは、表示装置コント
ロール部６１ａからメモリコントロール部制御信号が与えられて、第１フレームメモリ６
２、第２フレームメモリ６３の制御、および書き込む走査線に対応したデータのフレーム
メモリからの読み出しを行う。
【００４３】
コントローラ６１は、メモリ６２，６３を用いることで、外部から入力された画像信号
に対して所定時間遅延させた画像信号を得ることができる。例えば、コントローラ６１は
、入力された画像信号から相互に垂直期間の１／２の期間だけ前後した画像信号を得るこ
とができる。更に、コントローラ６１は、相互に垂直期間の１／２の期間だけ前後した画
像信号を合成して、入力画像の水平周波数と同一水平周波数の合成信号を生成し、表示領
域１０１ａの後述する走査に応じて画像信号の信号配列を再配列させて出力することがで
きる。
【００４４】
また、本実施の形態においては、後述するように、第１，第２のフレームメモリ６２，
６３を用いることで、コントローラ６１は、入力画像の前後するフレームの下半分の画像
と上半分の画像とで、表示領域１０１ａの各画素に書込む１フレームの書込み画像を構成
するようになっている。
【００４５】
コントローラ６１からの画像信号はＤＡＣ６４に与えられる。ＤＡＣ６４は、コントロ
ーラ６１からのディジタル画像信号をアナログ信号に変換してデータドライバ２０１に供
給するようになっている。
【００４６】
また、コントローラ６１は、データドライバ２０１及び走査ドライバ１０４を駆動する
各種信号を生成する。これらの各種信号を生成するために、コントローラ６１はタイミン
グ信号生成手段としてのタイミングジェネレータ（図示せず）を備えている。タイミング
ジェネレータは、外部から供給された垂直同期信号Ｖsync、水平同期信号Ｈsync及びドッ
トクロック信号dotclkを基に、各種タイミング信号を生成する。
【００４７】
即ち、コントローラ６１は、タイミングジェネレータを用いて、ディスプレイ駆動用の
信号である、転送クロックＣＬＸ等を生成してデータドライバ２０１に出力する。また、
コントローラ６１は、走査スタートパルスＤＹ、転送クロックＣＬＹ，／ＣＬＹを生成し
て走査ドライバ１０４に出力する。また、コントローラ６１は、イネーブル信号ＥＮＢＹ
１，ＥＮＢＹ２を生成して、走査ドライバ１０４に供給するようになっている。
【００４８】
データドライバ２０１は、図示しないサンプリングホールド回路に水平画素数分の画像
信号を保持させる。転送クロックＣＬＸは、各ソース線に対応したサンプリングホールド
回路のサンプリングタイミングを決定するクロック信号である。データドライバ２０１は
、サンプリングホールド回路に保持された画像信号を各ソース線を介して出力する。
【００４９】
コントローラ６１が生成する走査スタートパルスＤＹは、走査の開始を指示するための
パルス信号であり、本実施の形態においては１垂直期間に２回発生する。例えば、コント
ローラ６１は、１／２垂直期間だけずれたタイミングで走査スタートパルスＤＹを発生さ
せる。走査スタートパルスＤＹが走査ドライバ１０４に入力されることにより、走査ドラ
イバ１０４は各走査線Ｇ1 〜Ｇｍに各画素のＴＦＴ３０をオンにさせる走査信号（以下、
ゲートパルスという）（Ｇ１〜Ｇｍ）を出力する。
【００５０】
転送クロックＣＬＹ，／ＣＬＹは、走査側（Ｙ側）の走査速度を規定する信号で、入力
画像信号の２水平期間に対応して立上り又は立下るパルスである。後述するように、走査
ドライバ１０４は、転送クロックＣＬＹ（／ＣＬＹ）に同期して、ゲートパルスを出力す
る走査線をシフトさせる。
【００５１】
本実施の形態においては、１垂直期間で２つの走査スタートパルスＤＹが発生するので
、表示領域１０１ａでは、１水平期間において、２つの走査スタータパルスのずれに応じ
たライン数だけ隔てた２ラインの走査線にゲートパルスが供給される。
【００５２】
この場合において、これらの２つの走査線に接続されたＴＦＴ３０が同時にオンとなっ
てソース線を介して転送された同一の画像信号が２ラインの画素電極９に書込まれること
がないように、２水平期間の前の水平期間と後の水平期間とで、これらの２つの走査線に
交互にゲートパルスを供給するようになっている。
【００５３】
また、コントローラ６１は、入力画像信号とその遅延信号とを、上述した走査に応じて
配列し直すと共に、２水平期間毎に極性反転させてデータドライバ２０１に供給する。例
えば、コントローラ６１は、入力画像信号とその遅延信号とを各ライン毎に交互に配列す
ることで、書込み画像を得る。
【００５４】
つまり、データドライバ２０１に入力される画像信号の水平期間は、元の入力画像信号
の水平期間Ｈと同一である。液晶パネル１の表示領域１０１ａの１ラインの画素の書込み
期間（以下、水平書込み期間ともいう）を、書込み画像の水平期間に同期させる。
【００５５】
２水平期間Ｈは、２回の水平書込み期間ｈを含み、各水平書込み期間において２ライン
の画素に夫々のラインの画像に対応した画素信号が供給される。これらの異なる２ライン
の画素信号を、夫々２回の水平書込み期間ｈで書込むために、２水平期間で夫々２回立上
り、立下るイネーブル信号ＥＮＢＹ１，ＥＮＢＹ２が用いられる。
【００５６】
次に、図５を参照して走査ドライバ１０４について説明する。
【００５７】
走査ドライバ１０４は、図５に示すように、コントローラ６１から走査スタートパルス
ＤＹ、クロック信号ＣＬＹ、反転クロック信号／ＣＬＹがそれぞれ入力されるシフトレジ
スタ６６と、シフトレジスタ６６からの出力が入力されるｍ個のＡＮＤ回路６７を有して
いる。ＡＮＤ回路６７の出力端は夫々ｍ本の走査線Ｇ１〜Ｇｍに接続される。
【００５８】
図６はシフトレジスタ６６の具体的な構成を示している。シフトレジスタ６６は隣接す
る２つの走査線毎に対応した構成を有している。即ち、隣接する２つの走査線のうち一方
の走査線に対応して、クロック信号ＣＬＹによって導通するクロックドインバータ６６ａ
、反転クロック信号／ＣＬＹによって導通するクロックドインバータ６６ｂ及びインバー
タ６６ｃを有しており、他方の走査線に対応して、反転クロック信号／ＣＬＹによって導
通するクロックドインバータ６６ｄ、クロック信号ＣＬＹによって導通するクロックドイ
ンバータ６６ｅ及びインバータ６６ｆを有している。
【００５９】
クロックドインバータ６６ａには走査スタートパルスＤＹに基づくパルスが入力され、
“Ｈ”のクロック信号ＣＬＹによって導通して、出力を対応するＡＮＤ回路６７及び前段
のＡＮＤ回路６７の入力端並びにインバータ６６ｃに出力する。インバータ６６ｃはクロ
ックドインバータ６６ａの反転出力をクロックドインバータ６６ｂ及び次段のクロックド
インバータ６６ｄに出力する。クロックドインバータ６６ｂは“Ｈ”の反転クロック信号
／ＣＬＹによって導通して、出力を対応するＡＮＤ回路６７及び前段のＡＮＤ回路６７の
入力端に与える。
【００６０】
また、クロックドインバータ６６ｄには前段のインバータ６６ｃの出力を、“Ｈ”のク
ロック信号ＣＬＹで対応するＡＮＤ回路６７及び前段のＡＮＤ回路６７の入力端並びにイ
ンバータ６６ｆに出力する。インバータ６６ｆはクロックドインバータ６６ｄの反転出力
をクロックドインバータ６６ｅ及び次段のクロックドインバータ６６ａに出力する。クロ
ックドインバータ６６ｆは“Ｈ”の反転クロック信号／ＣＬＹによって導通して、出力を
対応するＡＮＤ回路６７及び前段のＡＮＤ回路６７の入力端に与える。
【００６１】
クロックドインバータ６６ａに入力される走査スタートパルスＤＹは所定幅のパルスで
あり、走査スタートパルスＤＹに基づくパルスが、クロックドインバータ６６ａ、インバ
ータ６６ｃ、クロックドインバータ６６ｄ及びインバータ６６ｆを介して順次転送され、
ＡＮＤ回路６７に与えられる。また、クロックドインバータ６６ｂの出力をＡＮＤ回路６
７に与えることで、ＡＮＤ回路６７の出力パルスの立上り，立下りをクロック信号ＣＬＹ
によって規定している。
【００６２】
更に、ＡＮＤ回路６７にはイネーブル信号ＥＮＢＹ１又はＥＮＢＹ２も入力される。例
えば、奇数番目の走査線に対応するＡＮＤ回路６７にはイネーブル信号ＥＮＢＹ１が入力
され、偶数番目の走査線に対応するＡＮＤ回路６７にはイネーブル信号ＥＮＢＹ２が入力
される。ＡＮＤ回路６７は、３入力の論理和を求めて走査信号として各走査線に出力する
。これにより、ゲートパルスのパルス幅はイネーブル信号ＥＮＢＹ１，ＥＮＢＹ２のパル
ス幅に一致し、このパルス幅が水平書込み期間となる。
【００６３】
次に、図７及び図８を参照して駆動回路部６０の動作を詳細に説明する。
【００６４】
駆動回路部６０においては、図７に示すように、入力される画像信号の１垂直期間中に
走査スタートパルスＤＹが２回出力される。走査スタートパルスＤＹは、２水平書込み期
間毎に１パルスが立上り、立下る４水平期間周期のクロック信号ＣＬＹによって、走査ド
ライバ１０４のシフトレジスタ６６中をシフトしていく。
【００６５】
１垂直期間に２つの走査スタートパルスＤＹが発生するので、例えば、１つ目の走査ス
タートパルスＤＹに基づいて各走査線のＡＮＤ回路６７から発生する“Ｈ”のゲートパル
スは、入力画像信号の水平周期で次段にシフトし、そのパルス幅はイネーブル信号ＥＮＢ
Ｙ１，ＥＮＢＹ２の“Ｈ”期間によって規定される。また、２つ目の走査スタートパルス
ＤＹに基づいて各走査線のＡＮＤ回路６７から発生する“Ｈ”のゲートパルスは、入力画
像信号の水平周期で次段にシフトし、そのパルス幅はイネーブル信号ＥＮＢＹ１，ＥＮＢ
Ｙ２の“Ｈ”期間で規定される。
【００６６】
このように、２水平期間中に、ゲートパルスは走査線ｍ本分離れた画面上の２個所に交
互に出力される。次の２水平期間には、夫々次のラインの走査線に対してゲートパルスが
発生する。すなわち、所定の走査線からｍ本離れた走査線に飛び越しては前記所定の走査
線の次段の走査線に戻り、その走査線からｍ本離れた走査線に飛び越してはまたその次段
の走査線に戻るというように（つまり、走査線Ｇ１ 、走査線（Ｇｍ／２）＋１ 、走査線
Ｇ２ 、走査線（Ｇｍ／２）＋２ 、Ｇ３ 、…という順序で）順次出力される。
【００６７】
このように２つのイネーブル信号ＥＮＢＹ１、ＥＮＢＹ２を用いることで、２水平期間
（液晶パネル１の２水平書込み期間）に２本の走査線にゲートパルス供給することが可能
となる。
【００６８】
一方、データドライバ２０１からの出力であるデータ信号Ｓｘは、コモン電位ＬＣＣＯ
Ｍを中心として１水平書込み期間毎に正極性電位と負極性電位とに極性が反転する。従っ
て、データ信号Ｓｘ側が１水平書込み期間毎に極性反転しつつ、ゲートパルス側は上記の
順番で走査線ｍ本分離れた画面の２個所に交互に出力されることになる。その結果、画面
上は、図９に示すように、ある２水平期間に着目すると、例えば走査線Ｇ３ 〜（Ｇｍ／
２）＋２ に対応するドット（画素）は正極性電位のデータが書き込まれる領域（以下、
単に正極性領域という）となり、走査線Ｇ１ 〜Ｇ２及び（Ｇｍ／２）＋３ 〜Ｇｍに対応
するドットは負極性電位のデータが書き込まれる領域（以下、単に負極性領域という）と
なる。即ち、画面内があたかも異なる極性のデータが書き込まれた正極性領域と負極性領
域の３つの領域に分割されたような状態となる。
【００６９】
図９は任意の１水平期間の瞬間を見た画面のイメージを示しており、図１０は時間の流
れを追って画面上の極性の変化の状態を示すものである。図１０の横軸を時間（単位：１
水平書込み期間）とすると、例えば第１水平書込み期間では走査線Ｇｍ に対応するドッ
トに負電位が書き込まれ、次の第２水平書込み期間では第１水平書込み期間で負電位が書
き込まれていた走査線（Ｇｍ／２）＋１ に対応するドットに正電位が書き込まれ、次の
第３水平書込み期間では１／２垂直期間以前に正電位が書き込まれていた走査線Ｇ１ に
対応するドットに負電位が書き込まれる。
【００７０】
従って、正極性領域と負極性領域はそれぞれ１水平書込み期間毎に１ラインずつ移動し
ていき、走査線が画面の半分を移動したときに正極性領域と負極性領域とが完全に反転す
る。つまり１画面の書き換えが行われたことになる。この画面の書換えは１垂直周期で行
われる。即ち、この方法によると、走査線が全画面を移動することにより、書き換えが１
度行われることになる。
【００７１】
上述したように、データドライバ２０１に入力される画像信号は、所定期間（図１０の
例では１／２垂直周期）前後した画像を配列したものであり、結果的に、液晶パネル１の
各画素は、１垂直期間で一画像が構成されることになる。
【００７２】
このように、本実施の形態においては、１垂直期間内に所定の期間ずらして書き込みを
開始させることで、２水平期間内に２本の走査線にゲートパルスを供給する。そして、こ
の場合には、イネーブル信号を用いることで、１水平期間毎に交番的に走査線にゲートパ
ルスを供給して画素への書込みを行う。例えば同一画像信号を１／２垂直期間だけずらし
ながら、各画素を書込む。即ち、一部（複数本）の走査線を飛び越しつつ、行ったり来た
りしながら全ての走査線にわたって１垂直期間に１回ずつの走査が行なわれる。これによ
り、任意のタイミングでは、画面内には各フィールドに対応して正電位印加領域と負電位
印加領域とからなる複数の領域が存在することとなる。以下、このような駆動方法を領域
単位の反転駆動という。
【００７３】
ところで、図１１は上述した領域単位の反転駆動において、動く縦棒の画像を表示する
場合の表示例を説明するためのものである。図１１（ａ）は（Ｎ−１）フレームにおける
画像表示を示しており、画面上に縦棒８１が表示されていることを示している。図１１（
ｂ）はＮフレームの画像表示を示している。Ｎフレームの表示は、（Ｎ−１）フレームで
表示された縦棒８１が水平方向に移動して、縦棒８１’となったものである。
【００７４】
図１１（ｃ）はこのような動きがある画像について、上述した領域単位の反転駆動を実
施した場合の（Ｎ−１）フレームからＮフレームへの表示の変化の様子を示している。上
述したように、領域単位の反転駆動においては、画面を分割し、各分割領域毎に書込みラ
インがシフトして、新しいフレームの画像に置き換わる。図１１（ｃ）の例では、（Ｎ−
１）フレームの画像に対して、画面上下の各分割領域毎に、上から３ライン分の画像がＮ
フレームの画像に変化したことを示している。
【００７５】
通常の走査方法では、画面の上のラインから順に画像が置き換わるので、（Ｎ−１）フ
レームの縦棒８１とＮフレームの縦棒８１’とが不連続となる部分は１カ所にのみ生じ、
しかもその不連続となる部分は走査と共に１水平期間毎に画面下方向に逐次シフトするの
で、不連続部分の表示が目立つことはない。
【００７６】
これに対し、領域単位の反転駆動では、（Ｎ−１）フレームの縦棒８１とＮフレームの
縦棒８１’とが不連続となる部分は３カ所に生じる。この場合でも、不連続部分が１水平
期間毎に逐次シフトする２カ所の不連続部分は表示上目立たないが、各分割領域同士の境
界部分８２においては、不連続が１／２垂直期間だけ連続し、表示上目立ってしまう。
【００７７】
この理由から、本実施の形態においては、入力画像の連続した２フレーム画像のうち前
フレームの下半分の画像と後フレームの上半分の画像とで、１フレームの書込み画像を構
成するようになっている。図１２はこのような書込み画像の構成を説明するためのもので
ある。また、図１３は書込み画像を構成するための動作を説明するためのものである。
【００７８】
図１２の２フレームの斜線部分に対応する画像信号を用いて、書込み画像の画像信号を
得る。即ち、コントローラ６１内のメモリコントロール部６１ｂは、表示装置コントロー
ル部６１ａに制御されて、第１，第２フレームメモリ６２，６３を用いて、２フレームの
画像を蓄積させると共に、これらの２フレームの画像のうち前フレームの下半分の画像と
後フレームの上半分の画像とを読出して、１フレームの画像を構成する。例えば、メモリ
コントロール部６１ｂは、図１３に示すように、（Ｎ−１）フレームの画像信号の後半を
第２フレームメモリ６３に書込んでいる場合に、既に第１フレームメモリ６２に書込まれ
ている（Ｎ−１）フレームの画像信号の前半を読出す。同様に、メモリコントロール部６
１ｂは、Ｎフレームの画像信号の前半を第１フレームメモリ６２に書込んでいる場合に、
既に第２フレームメモリ６３に書込まれている（Ｎ−１）フレームの画像信号の後半を読
出す。なお、図１３に示すように、１垂直期間に２回発生する走査スタートパルスＤＹ１
，ＤＹ２が垂直同期信号に同期しているものとすると、書込みと読出しとの切換えタイミ
ングを走査スタートパルスＤＹ２の立上りタイミングに一致させる。
【００７９】
更に、メモリコントロール部６１ｂは、読出した１フレーム分の画像を所定期間遅延さ
せ、遅延させていない画像と合成して、走査ドライバ１０４の走査に対応させて信号配列
を再配列する。
【００８０】
図１４及び図１５は、図１１と同様に、動く縦棒の画像を表示する場合の表示例を説明
するためのものである。図１４（ａ）及び図１５（ａ）は（Ｎ−１）フレームの入力画像
を示し、図１４（ｂ）及び図１５（ｂ）はＮフレームの入力画像を示し、図１４（ｃ）及
び図１５（ｃ）は（Ｎ＋１）フレームの入力画像を示し、図１４（ｄ）及び図１５（ｄ）
はＮフレームの画像入力後の表示例又は（Ｎ＋１）フレームの画像入力後の表示例を示し
ている。
【００８１】
図１４（ａ）乃至（ｃ）は夫々（Ｎ−１）フレーム、Ｎフレーム及び（Ｎ＋１）フレー
ムにおける画像を示している。即ち、（Ｎ−１）フレーム中の縦棒９１は、次のＮフレー
ムにおいて移動して縦棒９２となる。（Ｎ＋１）フレームでは更に移動して縦棒９３とな
る。
【００８２】
（Ｎ−１）フレームとＮフレームとの図１４の網線部の領域の画像を合成することで書
込み画像を得る。図１４（ｄ）は網線部の画像を合成して得た書込み画像の表示が終了し
た時点における画面表示を示している。図１４（ｄ）に示すように、画面の下側には（Ｎ
−１）フレームの下側の縦棒９１が表示され、画面の上側にはＮフレームの上側の縦棒９
２が表示されている。この表示は上述したように、１垂直期間で行われる。図１４のよう
に前後するフレームの画像を用いて書込み画像を構成する場合でも、表示は順次連続的に
切換り、視覚上違和感のない映像を映出することができる。
【００８３】
図１５（ａ）乃至（ｃ）は夫々図１４（ａ）乃至（ｃ）に対応したものであり、網線部
は図１４（ｄ）の画像の次に表示する書込み画像を構成する領域を示している。図１５（
ｄ）はこれらの領域に基づく書込み画像の表示途中の状態を示している。上述したように
、領域単位の反転駆動においては、画面を分割し、各分割領域毎に書込みラインがシフト
して、新しいフレームの画像に置き換わる。図１５（ｄ）の例は、図１４（ｄ）のタイミ
ングから画面上下の各分割領域毎に、上から２ライン分の画像が次の書込み画像に変化し
たことを示している。
【００８４】
この場合には、画面上の垂直方向の２カ所に不連続部分が生じる。即ち、図１５（ｄ）
に示すように、画面下側の（Ｎ−１）フレームの画像は１水平周期でライン毎に順次Ｎフ
レームの画像に置き換わる。（Ｎ−１）フレームの縦棒９１とＮフレームの縦棒９２との
不連続部分は１水平周期で下側に１ラインずつシフトするので、画面上では目立たない。
また、画面上側のＮフレームの画像は１水平周期でライン毎に順次（Ｎ＋１）フレームの
画像に置き換わる。即ち、Ｎフレームの縦棒９２と（Ｎ＋１）フレームの縦棒９３との不
連続部分は１水平周期で下側に１ラインずつシフトする。従って、これらの縦棒９２，９
３の不連続部分も画面上では目立たない。
【００８５】
このように、本実施の形態においては、画面の半分の広さを持った正極性領域と負極性
領域とが１垂直期間で反転することになり、領域毎には面反転駆動が行われる。１垂直期
間において、任意の１ドットと隣接する１ドットとの間は水平書込み期間だけ逆極性電位
となるが、残りの大部分の時間は同極性電位となっているので、ディスクリネーションは
ほとんど発生しない。一方、ソース線Ｓ1 ，Ｓ2 ，…には、図８の信号波形Ｓｎに示すよ
うに、従来のライン反転駆動と同様の信号極性の信号が転送されることになり、従来の面
反転方式で駆動したときのように画面の上側の画素と下側の画素で画素電極−データ線間
の時間的な電位の関係に大きな差異が生じることがなく、クロストークを抑制しつつ、画
面の場所による表示の不均一を回避することができる。
【００８６】
また、本実施の形態においては、連続する２フレームのうちの前フレームの後半の画像
と後フレームの前半の画像とによって書込み画像を構成していることから、領域単位の反
転駆動を行った場合でも、不連続部分が長期間固定されることを防止することができ、違
和感のない画像を表示することが可能である。
【００８７】
［投射型液晶装置］
図１６は上記実施の形態の液晶ライトバルブを３個用いた、いわゆる３板式の投射型液
晶表示装置（液晶プロジェクタ）の一例を示す概略構成図である。図中、符号１１００は
光源、１１０８はダイクロイックミラー、１１０６は反射ミラー、１１２２，１１２３，
１１２４はリレーレンズ、１００Ｒ，１００Ｇ，１００Ｂは液晶ライトバルブ、１１１２
はクロスダイクロイックプリズム、１１１４は投射レンズ系を示す。
【００８８】
光源１１００は、メタルハライド等のランプ１１０２とランプ１１０２の光を反射する
リフレクタ１１０１とから構成されている。青色光・緑色光反射のダイクロイックミラー
１１０８は、光源１１００からの白色光のうちの赤色光を透過させるとともに、青色光と
緑色光とを反射する。透過した赤色光は反射ミラー１１０６で反射され、赤色光用液晶ラ
イトバルブ１００Ｒに入射される。
【００８９】
一方、ダイクロイックミラー１１０８で反射された色光のうち、緑色光は、緑色光反射
のダイクロイックミラー１１０８によって反射され、緑色用液晶ライトバルブ１００Ｇに
入射される。一方、青色光は、第２のダイクロイックミラー１１０８も透過する。青色光
に対しては、光路長が緑色光、赤色光と異なるのを補償するために、入射レンズ１１２２
、リレーレンズ１１２３、出射レンズ１１２４を含むリレーレンズ系からなる導光手段１
１２１が設けられ、これを介して青色光が青色光用液晶ライトバルブ１００Ｂに入射され
る。
【００９０】
各ライトバルブ１００Ｒ，１００Ｇ，１００Ｂにより変調された３つの色光はクロスダ
イクロイックプリズム１１１２に入射する。このプリズムは、４つの直角プリズムが貼り
合わされ、その内面に赤色光を反射する誘電体多層膜と青色光を反射する誘電体多層膜と
が十字状に形成されたものである。これらの誘電体多層膜によって３つの色光が合成され
て、カラー画像を表す光が形成される。合成された光は、投射光学系である投射レンズ系
１１１４によってスクリーン１１２０上に投射され、画像が拡大されて表示される。
【００９１】
上記構成の投射型液晶表示装置においては、上記実施の形態の液晶ライトバルブを用い
たことにより、表示の均一性に優れた投射型液晶表示装置を実現することができる。
【００９２】
なお、本発明の技術範囲は上記実施の形態に限定されるものではなく、本発明の趣旨を
逸脱しない範囲において種々の変更を加えることが可能である。例えば上記の実施の形態
では画面上を異なる極性電位を書き込む２つの領域に分割した例を示したが、分割数はこ
れに限るものではなく、さらに分割数を多くしても良い。ただし、分割数を多くすればす
る程、隣接する走査線に逆極性電位が印加された状態となる時間が長くなる。その場合で
も、時間にして少なくとも１垂直期間の５０％以上の割合で同極性電位が印加された状態
とすることが望ましい。また、各領域内での走査の順序については上記実施の形態に限ら
ず、適宜変更が可能である。
【００９３】
また、上記実施形態ではＴＦＴを用いたアクティブマトリクス型の液晶装置を例に挙げ
て説明したが、本発明はこれに限定されず、例えば画素スイッチング素子にＴＦＤ（Thin
Film Diode）を用いたものや、パッシブマトリクス型のもの等、複数の画素をマトリク
ス駆動する種々の表示装置に対しても本発明を適用することができる。
【図面の簡単な説明】
【００９４】
【図１】本実施の形態に係る液晶装置を示すブロック図。
【図２】本実施の形態の液晶装置において採用される液晶パネルの概略構成図。
【図３】図２のＨ−Ｈ’線に沿う断面図。
【図４】液晶パネルの画素領域においてマトリクス状に形成された複数の画素の等価回路図。
【図５】図１中の走査ドライバ１０４の具体的な構成を示す回路図。
【図６】図５中の要部の詳細回路図。
【図７】液晶装置の動作を説明するためのタイミングチャート。
【図８】図７中の要部を取りだして示すタイミングチャート。
【図９】画面のイメージを示す説明図。
【図１０】画面上の書込み（駆動）の様子を示す説明図。
【図１１】書込み画像の構成と、画像の書込みとの関係を説明するための説明図。
【図１２】書込み画像の構成を説明するための説明図。
【図１３】書込み画像を構成するための動作を説明するためのタイミングチャート。
【図１４】画像として動く縦棒を表示する場合の表示例を説明するための説明図。
【図１５】画像として動く縦棒を表示する場合の表示例を説明するための説明図。
【図１６】上記実施の形態の液晶ライトバルブを３個用いた、いわゆる３板式の投射型液晶表示装置（液晶プロジェクタ）の一例を示す概略構成図。
【符号の説明】
【００９５】
６０…駆動回路部、６１…コントローラ、６１ａ…表示装置コントロール部、６１ｂ
…メモリコントロール、６２，６３…フレームメモリ、１０１ａ…表示部、１０４…走査
ドライバ、２０１…データドライバ。  
【図１】
2005227473.tif 000003
【図２】
2005227473.tif 000004
【図３】
2005227473.tif 000005
【図４】
2005227473.tif 000006
【図５】
2005227473.tif 000007
【図６】
2005227473.tif 000008
【図７】
2005227473.tif 000009
【図８】
2005227473.tif 000010
【図９】
2005227473.tif 000011
【図１０】
2005227473.tif 000012
【図１１】
2005227473.tif 000013
【図１２】
2005227473.tif 000014
【図１３】
2005227473.tif 000015
【図１４】
2005227473.tif 000016
【図１５】
2005227473.tif 000017
【図１６】
2005227473.tif 000018